(57)【要約】【課題】  第１及び第２の記録層が積層されて構成された２層光ディスクを用いて情報信号の記録を行う２層光ディスク記録装置において、光束の照射源側にある第１の記録層に未記録領域と記録済領域とが混在する場合においても、第２の記録層に対する記録、再生を、最適な盤面パワーによって迅速に行うことができるようにする。【解決手段】  ２層光ディスク１０１に照射する光束の出力を調整する出力調整手段６により、第２の記録層１０２ｂに対して情報信号の記録を行うときには、光束が第１の記録層１０２ａを透過するときの光束断面内における記録済領域及び未記録領域の分布状態と、記憶手段７によって記憶されている第１の記録層１０２ａの光束に対する透過率とに応じて光束の出力を調整し、第２の記録層１０２ｂに対して照射される光束を所定の出力とする。【選択図】  図１
2006268964.tif 000002
【特許請求の範囲】
【請求項１】
第１及び第２の記録層が積層されて構成された２層光ディスクを用いて、前記第１の記録層の側より前記各記録層のいずれかに光束を集光させて照射し、この光束を集光させた記録面に対する情報信号の記録を行う２層光ディスク記録装置において、
前記第２の記録層に対して前記光束を集光させて情報信号の記録を行うときに、前記第１の記録層に記録済領域と未記録領域とが存在する場合において、これら記録済領域及び未記録領域における光透過率の違いと、前記光束が前記第１の記録層を透過するときの光束断面内における前記記録済領域及び前記未記録領域の分布状態とによって決まる前記第１の記録層の前記光束に対する透過率を記憶しておく記憶手段と、
前記光束の出力を調整する出力調整手段とを備え、
前記出力調整手段は、前記第２の記録層に対して情報信号の記録を行うときには、前記光束が前記第１の記録層を透過するときの光束断面内における該第１の記録層の記録済領域及び未記録領域の分布状態と、前記記憶手段によって記憶されている前記第１の記録層の前記光束に対する透過率とに応じて該光束の出力を調整し、前記第２の記録層に対して照射される光束を所定の出力とする
ことを特徴とする２層光ディスク記録装置。
【請求項２】
前記出力調整手段は、前記第２の記録層に対して情報信号の記録を行うときに、前記第１の記録層上の記録トラックと前記第２の記録層上の記録トラックとに偏芯がある場合においては、前記光束が前記第１の記録層を透過するときの光束断面内における該第１の記録層の記録済領域及び未記録領域の分布状態について、前記第２の記録層上の記録トラックに対する前記第１の記録層上の記録トラックの偏芯の量及び方向を加算して、該分布状態を決定する
ことを特徴とする請求項１記載の２層光ディスク記録装置。
【発明の詳細な説明】
【技術分野】
【０００１】
本発明は、第１及び第２の記録層が積層されて構成された２層光ディスクを用いて、情報信号の記録を行う２層光ディスク記録装置に関する。
【背景技術】
【０００２】
従来、情報記録媒体である光ディスクにおいては、記録容量の増大のために、第１及び第２の記録層を積層して構成した２層光ディスクが提案されている。そして、このような２層光ディスクを用いて情報信号の記録、再生を行う２層光ディスク記録装置は、光学ピックアップ装置を用いて、第１の記録層の側より、各記録層のいずれかにレーザ光束を集光させて照射し、このレーザ光束を集光させた記録面に対する情報信号の記録、再生を行うように構成されている。
【０００３】
この２層光ディスク記録装置において、第１の記録層に対する記録、再生を行う場合には、レーザ光束の盤面パワーに関して、記録層が単層である光ディスクに対して記録、再生を行う場合と大差はない。
【０００４】
しかし、第２の記録層に対して情報信号の記録、再生を行うときには、光学ピックアップ装置により照射されるレーザ光束は、第１の記録層を透過して、第２の記録層に対して集光して照射される。また、この第２の記録層により反射されたレーザ光束は、第１の記録層を透過して、光学ピックアップ装置に戻る。そして、第１の記録層は、未記録か記録済かによって、光透過率が異なる。そのため、第２の記録層に対して記録、再生を行う場合には、第１の記録層が未記録か記録済かによって、第２の記録層におけるレーザ光束の盤面パワーが変化することになる。
【０００５】
このような２層光ディスクにおいては、例えば、いわゆる「２層記録型ＤＶＤ」においては、まず、第１の記録層の全領域について記録を行い、次に、第２の記録層に対する記録を行うようになっている。第１の記録層は、記録がなされることにより、光透過率が上昇するからである。
【０００６】
しかし、動画記録（ムービー）のために使用される２層光ディスク、例えば、いわゆる「２層記録型ＤＶＤ−Ｒ」、「２層記録型ＤＶＤ＋Ｒ」、「２層記録型ＤＶＤ−ＲＡＭ」などにおいては、追記記録を行う。追記記録を行う場合には、第１の記録層に記録されるビデオレコーディング（ＶＲ）記録フォーマットのインフォメーションファイルを最初に記録することができず、このインフォメーションファイルが記録される領域は、第２の記録層に対する記録がなされるときにおいても、未記録の状態となる。
【０００７】
このように、２層光ディスクにおいては、第１の記録層の一部が未記録の状態で、第２の記録層に対する記録を開始する場合が想定されるので、第１の記録層が未記録の状態における第２の記録層への記録方法が必要となっている。
【０００８】
ここで、第１の記録層の未記録領域と記録済領域とで、光学ピックアップ装置からの出射光のパワーを変えずに、第２の記録層に対する記録、再生を行った場合、第１の記録層の未記録領域では光透過率が低いので、第２の記録層における記録パワーが小さくなり、記録時のパワーマージンが小さくなり、再生時におけるジッタが悪化する等の問題が生ずる。また、第２の記録層におけるレーザ光束の盤面パワーの変化は、特に、第２の記録層に対する記録を行う場合に問題となる。すなわち、第１の記録層が未記録か記録済かによって、記録パワーに対するジッタ値のボトムが異なり、また、アシンメトリも異なることとなる。
【０００９】
第１の記録層の記録状態に応じて、光学ピックアップ装置からの出射光パワーを調整し、第２の記録層におけるレーザ光束の盤面パワーを最適化するための記録方法として、特許文献１には、第２の記録層に対する記録を行うときに、この第２の記録層により反射されて戻る光束の光量を検出し、この検出結果に基づいて、光学ピックアップ装置からの出射光パワーを制御する記録方法が記載されている。
【００１０】
【特許文献１】特開２００２−２７９６３４公報
【発明の開示】
【発明が解決しようとする課題】
【００１１】
ところで、光学ピックアップ装置からの出射光パワー設定の応答性は、光源となる半導体レーザ（ＬＤ）の駆動回路の特性に依存する。そして、前記特許文献１に記載の記録方法においては、光学ピックアップ装置からの出射光パワーの設定は、レジスタにデータが書き込まれ、この値に基づく制御が行われることによってなされる。レジスタへデータの書き込みがパラレルデータ転送であるかシリアルデータ転送であるかの形式の違いに依らず、レジスタの書き換えには一定の時間が必要である。また、第２の記録層からの戻り光の光量検出によっても、時間遅れが生ずる。
【００１２】
したがって、前記特許文献１に記載の記録方法のように、第２の記録層に対する記録時に、第２の記録層からの戻り光の光量を検出して、光学ピックアップ装置からの出射光パワーの設定値を計算し、半導体レーザ駆動回路に設定値を送るという制御では、応答性が遅いので、記録開始の初期においては正しい設定での記録を行うことはできない。
【００１３】
すなわち、この記録方法によって第２の記録層に対する記録を行う場合には、記録動作の開始前に、予め、第１の記録層における未記録領域と記録済領域との分布状態を把握しておき、光学ピックアップ装置からの出射光パワーを設定しておいてから、記録を開始する必要があり、迅速な記録動作を実行することができない。
【００１４】
また、第１の記録層における未記録領域と記録済領域との分布状態が予め把握されている場合であっても、従来、第１の記録層に未記録領域と記録済領域とが混在する場合においては、第２の記録層に対して記録、再生を行うための最適な盤面パワーを設定する方法が提案されていなかった。
【００１５】
そこで、本発明は、第１及び第２の記録層が積層されて構成された２層光ディスクを用いて情報信号の記録を行う２層光ディスク記録装置において、光束の照射源側にある第１の記録層に未記録領域と記録済領域とが混在する場合においても、第２の記録層に対する記録、再生を、最適な盤面パワーによって迅速に行うことができる２層光ディスク記録装置を提供しようとするものである。
【課題を解決するための手段】
【００１６】
前述の課題を解決し、前記目的を達成するため、本発明に係る２層光ディスク記録装置は、以下の構成のいずれか一を有している。
【００１７】
〔構成１〕
第１及び第２の記録層が積層されて構成された２層光ディスクを用いて第１の記録層の側より各記録層のいずれかに光束を集光させて照射しこの光束を集光させた記録面に対する情報信号の記録を行う２層光ディスク記録装置において、第２の記録層に対して光束を集光させて情報信号の記録を行うときに、第１の記録層に記録済領域と未記録領域とが存在する場合において、これら記録済領域及び未記録領域における光透過率の違いと光束が第１の記録層を透過するときの光束断面内における記録済領域及び未記録領域の分布状態とによって決まる第１の記録層の光束に対する透過率を記憶しておく記憶手段と、光束の出力を調整する出力調整手段とを備え、この出力調整手段は、第２の記録層に対して情報信号の記録を行うときには、光束が第１の記録層を透過するときの光束断面内における第１の記録層の記録済領域及び未記録領域の分布状態と、記憶手段によって記憶されている第１の記録層の光束に対する透過率とに応じて光束の出力を調整し、第２の記録層に対して照射される光束を所定の出力とすることを特徴とするものである。
【００１８】
〔構成２〕
構成１を有する２層光ディスク記録装置において、出力調整手段は、第２の記録層に対して情報信号の記録を行うときに、第１の記録層上の記録トラックと第２の記録層上の記録トラックとに偏芯がある場合においては、光束が第１の記録層を透過するときの光束断面内における第１の記録層の記録済領域及び未記録領域の分布状態について、第２の記録層上の記録トラックに対する第１の記録層上の記録トラックの偏芯の量及び方向を加算して、分布状態を決定することを特徴とするものである。
【発明の効果】
【００１９】
本発明に係る２層光ディスク記録装置においては、２層光ディスクに照射する光束の出力を調整する出力調整手段は、第２の記録層に対して情報信号の記録を行うときには、光束が第１の記録層を透過するときの光束断面内における第１の記録層の記録済領域及び未記録領域の分布状態と、記憶手段によって記憶されている第１の記録層の光束に対する透過率とに応じて光束の出力を調整し、第２の記録層に対して照射される光束を所定の出力とする。
【００２０】
また、この２層光ディスク記録装置においては、第１の記録層上の記録トラックと第２の記録層上の記録トラックとに偏芯がある場合においては、光束が第１の記録層を透過するときの光束断面内における第１の記録層の記録済領域及び未記録領域の分布状態について、第２の記録層上の記録トラックに対する第１の記録層上の記録トラックの偏芯の量及び方向を加算して、分布状態を決定する。
【００２１】
すなわち、本発明は、第１及び第２の記録層が積層されて構成された２層光ディスクを用いて情報信号の記録を行う２層光ディスク記録装置において、光束の照射源側にある第１の記録層に未記録領域と記録済領域とが混在する場合においても、第２の記録層に対する記録、再生を、最適な盤面パワーによって迅速に行うことができる２層光ディスク記録装置を提供することができるものである。
【発明を実施するための最良の形態】
【００２２】
以下、本発明を実施するための最良の形態について、図面を参照しながら説明する。
【００２３】
図１は、本発明に係る２層光ディスク記録装置の構成を示すブロック図である。
【００２４】
この２層光ディスク記録装置は、図１に示すように、光学ピックアップ装置１を備えて構成される。この光学ピックアップ装置１は、光源として半導体レーザ（ＬＤ）を内蔵し、この半導体レーザから発せられるレーザ光束を、対物レンズ２を含む光学系を介して、この２層光ディスク記録装置に装着される２層光ディスク１０１の記録層上に集光して照射する。また、この光学ピックアップ装置１は、２層光ディスク１０１の記録層により反射された戻り光を、対物レンズ２を含む光学系を介して検出するように構成されている。
【００２５】
２層光ディスク１０１は、この２層光ディスク記録装置において、図示しない回転駆動装置（ターンテーブル）に装着されて、回転操作される。そして、光学ピックアップ装置１は、装着された２層光ディスク１０１の径方向に移動操作可能となっている。
【００２６】
図２は、２層光ディスクの構成を示す断面図である。
【００２７】
２層光ディスク１０１は、図２に示すように、円盤状の基板１０１ａを有し、この基板１０１ａ上に、第１及び第２の記録層１０２ａ，１０２ｂを有して構成されている。すなわち、円盤状の基板１０１ａの表面部に反射膜からなる第２の記録層１０２ａが形成され、この第２の記録層１０２ａに対して透明な中間層１０１ｂを介して、半透明の反射膜からなる第１の記録層１０２ａが積層されて形成されている。そして、第１の記録層１０２ａ上には、透明なカバー層１０１ｃが形成されている。
【００２８】
光学ピックアップ装置１の対物レンズ２から出射されたレーザ光束は、２層光ディスク１０１に対して、第１の記録層１０２ａの側から照射される。そして、このレーザ光束は、第１の記録層１０２ａに対する記録、再生を行う場合には、この第１の記録層１０２ａ上に集光して照射される。また、このレーザ光束は、第２の記録層１０２ｂに対する記録、再生を行う場合には、第１の記録層１０２ａを透過して、第２の記録層１０２ｂ上に集光して照射される。第２の記録層１０２ｂに対する記録、再生を行う場合においては、第１の記録層１０２ａを透過するときのレーザ光束は、一定の光束断面積を有している。
【００２９】
そして、この２層光ディスク記録装置においては、光学ピックアップ装置１は、図１に示すように、ＬＤ駆動回路３によって、半導体レーザを駆動される。また、光学ピックアップ装置１によって２層光ディスクからの戻り光を検出して得られた光検出出力は、信号処理部４に送られるとともに、アドレス検出部５に送られる。
【００３０】
信号処理部４においては、光学ピックアップ装置１からの光検出出力に基づいて、２層光ディスク１０１からの読み取り信号や、種々のエラー信号等が形成される。また、この信号処理部４は、駆動部６を介して、光学ピックアップ装置１の２層光ディスク１０１の径方向への移動を制御する。
【００３１】
そして、アドレス検出部５においては、光学ピックアップ装置１からの光検出出力に基づいて、光学ピックアップ装置１の２層光ディスク１０１に対する位置を示すアドレス情報を生成する。このアドレス情報は、出力調整手段となる光量設定部６に送られる。
【００３２】
光量設定部６は、ＬＤ駆動回路３を介して、半導体レーザの発光出力を制御する。すなわち、この光量設定部６は、光学ピックアップ装置１の半導体レーザを駆動するＬＤ駆動回路３に対して、半導体レーザの出射光パワーを設定する。
【００３３】
この光量設定部６は、第２の記録層１０２ｂに対して情報信号の記録、再生を行うときには、レーザ光束が第１の記録層１０２ａを透過するときの光束断面内における第１の記録層１０２ａの記録済領域及び未記録領域の分布状態と、記憶手段となるメモリ７によって記憶されている第１の記録層１０２ａのレーザ光束に対する透過率とに応じて、半導体レーザの発光出力を調整し、第２の記録層１０２ｂに対して照射されるレーザ光束を所定の出力とする。
【００３４】
図３は、第１の記録層を透過するときのレーザ光束の状態を示す平面図（ａ）及び断面図（ｂ）である。
【００３５】
対物レンズ２から出射されて収束するレーザ光束は、透明媒質に入射したときには、この透明媒質の屈折率ｎに応じて、収束角度が狭くなる。しかし、第２の記録層１０２ｂに集光されるレーザ光束は、図３に示すように、第１の記録層１０２ａにおいては、一定の光束断面積を有する。したがって、第２の記録層１０２ｂにおける記録を行う位置に対応する第１の記録層１０２ａ上の位置が記録済領域であっても、レーザ光束の光束断面積内に未記録領域が進入してくると、この第１の記録層１０２ａのレーザ光束に対する透過率は低下してくる。すなわち、この光束断面積に対して未記録領域がどの程度の割合を占めるかによって、第１の記録層１０２ａのレーザ光束に対する透過率が決まる。
【００３６】
したがって、第１の記録層１０２ａにおける未記録領域の分布に関する情報が予め与えられている場合において、第２の記録層１０２ｂに対する記録、再生を行うときには、第１の記録層１０２ａにおける光束断面の径を考慮して、半導体レーザの発光出力を調整する必要がある。
【００３７】
この調整に関しては、第１の記録層１０２ａと第２の記録層１０２ｂとの層間距離をｔとし、レーザ光束の光軸から第１の記録層１０２ａにおける未記録領域の開始位置（記録済領域と未記録領域との境界）までの距離をＬとしたとき、以下の関係が成立する。
【００３８】
Ｌ＝ｔ×tan（sin−１（ＮＡ／ｎ））
ここで、ＮＡは対物レンズ２の開口数、ｎは２層光ディスク１０１のカバー層１０１ｃ及び中間層１０１ｂの屈折率である。
【００３９】
図４は、レーザ光束の断面内の光強度分布がガウス分布である場合において、レーザ光束内を第１の記録層１０２ａの記録済領域と未記録領域との境界が通過するときの透過率の変化を示すグラフである。
【００４０】
第１の記録層１０２ａのレーザ光束に対する透過率は、図４に示すように、レーザ光束の第１の記録層１０２ａにおける光束断面積に対して、未記録領域と記録済領域との光透過率を積分した値となる。
【００４１】
図４において、横軸は、第２の記録層１０２ｂに照射されるレーザ光束の光軸位置Ｘを示し、第１の記録層１０２ａにおける未記録領域と記録済領域との境界を０としている。左側の縦軸は、第１の記録層１０２ａのレーザ光束に対する透過率であり、実線のグラフに対応する。実線のグラフは、第１の記録層１０２ａの未記録領域の光透過率が０％であり、記録済領域の光透過率が１００％である場合を示している。この場合、第１の記録層１０２ａのレーザ光束に対する透過率の変化特性は、ガウス分布特性を積分した関数となり、以下の式によって示される。
【００４２】
〔ガウス分布〕＝exp（−２（Ｘ２＋Ｙ２）／ｒ０２）
Ｆ（２ｊ／ｒ０）＝∫２ｊ／ｒ０−∞exp（−ｔ２／２）ｄｔ
図４において、右側の縦軸は、第１の記録層１０２ａのレーザ光束に対する透過率であり、点線のグラフに対応する。点線のグラフは、第１の記録層１０２ａの未記録領域の光透過率が２０％で、記録済領域の光透過率が３０％である場合を示している。実際の２層光ディスク１０１における第１の記録層１０２ａの透過率は、点線のグラフに略対応している。
【００４３】
なお、対物レンズ２に入射するレーザ光束の強度分布は、半導体レーザからの出射光の発散角によって変わる。そのため、対物レンズ２の周囲部におけるレーザ光束の強度（リムインテン）を異ならせて計算する必要があるが、半導体レーザからの出射光の発散角による影響は少ないことがわかった。
【００４４】
ここで、第１の記録層１０２ａから第２の記録層１０２ｂへと連続的に記録を行う場合であって、第１の記録層１０２ａの未記録領域の位置が予めわかっている場合を考える。第１の記録層１０２ａの未記録領域の位置は、第１の記録層１０２ａに記録するときに、記録した領域のアドレスを記録しておくことによって知ることができる。
【００４５】
この場合において、前述したように、動画記録（ムービー）のために使用される２層光ディスクでは、追記記録を行うため、ビデオレコーディング（ＶＲ）記録フォーマットのインフォメーションファイルを最初に記録することができず、第１の記録層１０２ａにおける所定の領域が未記録領域のまま残される。
【００４６】
第１の記録層１０２ａにおける未記録領域の位置がわかっている場合には、この未記録領域の位置を示す情報を、予めメモリ７に記憶させておく。そして、第２の記録層１０２ｂに対する記録、再生を行うときには、メモリ７に記憶された未記録領域の位置に関する情報に基づいて、半導体レーザの発光出力を調整すればよい。また、メモリ７には、第１の記録層１０２ａにおける記録済領域及び未記録領域の光透過率も記憶させておく。
【００４７】
すなわち、光量設定部６は、アドレス検出部５から送られるアドレス情報と、メモリ７に記憶された未記録領域の位置に関する情報とに基づいて、レーザ光束が第１の記録層１０２ａを透過するときの光束断面内における記録済領域及び未記録領域の分布状態とを算出することができる。そして、光束断面内における記録済領域及び未記録領域の分布状態がわかれば、この分布状態と、記録済領域及び未記録領域の光透過率とに基づいて、第１の記録層１０２ａのレーザ光束に対する透過率を算出することができる。
【００４８】
したがって、光量設定部６は、第２の記録層１０２ｂに対して光束を集光させて情報信号の記録を行うときに、第１の記録層１０２ａに記録済領域と未記録領域とが存在する場合であっても、メモリ７に記憶された第１の記録層１０２ａにおける未記録領域の位置を示す情報と、２層光ディスク１０１から読み取られるアドレス情報とに基づいて、半導体レーザの発光出力を適切に調整することができる。
【００４９】
なお、図４に示したような、レーザ光束内を第１の記録層１０２ａの記録済領域と未記録領域との境界が通過するときの透過率の変化は、予め、第１の記録層１０２ａの記録済領域において第２の記録層１０２ｂに記録するときに必要となるレーザ光束の出力と、第１の記録層１０２ａの未記録領域において第２の記録層１０２ｂに記録するときに必要となるレーザ光束の出力とを求めておくことにより、決定することができる。第１の記録層１０２ａの記録済領域において第２の記録層１０２ｂに記録するときのレーザ光束の出力は、オートパワーコントロール（ＡＰＣ）回路により設定された出力に、２層光ディスク１０１に応じた係数をかけることによって定まる。そして、第１の記録層１０２ａの未記録領域において第２の記録層１０２ｂに記録するときに必要となるレーザ光束の出力を定め、これら２つの出力に対して、図４に示した変化カーブ特性を適用すれば、透過率の変化特性を求めることができる。
【００５０】
図５は、レーザ光束の断面内の光強度分布がガウス分布であって、レーザ光束内をこのレーザ光束の光束断面積よりも小さい記録済領域が通過するときの透過率の変化を示すグラフである。
【００５１】
図５中の（ａ）において、横軸は、第２の記録層１０２ｂに照射されるレーザ光束の光軸位置Ｘを示し、第１の記録層１０２ａにおける未記録領域と記録済領域との境界を０としている。縦軸は、第１の記録層１０２ａのレーザ光束に対する透過率であり、グラフは、第１の記録層１０２ａの未記録領域の光透過率が０％であり、記録済領域の光透過率が１００％である場合を示している。
【００５２】
図５中の（ｂ）に示すように、レーザ光束内をこのレーザ光束の第１の記録層１０２ａにおける光束断面積よりも小さい記録済領域が通過するときには、レーザ光束内を記録済領域のスリットが移動する形となり、第１の記録層１０２ａのレーザ光束に対する透過率は、未記録領域から記録済領域に突入する場合の変化と、記録済領域から未記録領域に突入する場合の変化とを合成した変化となる。したがって、半導体レーザの発光出力の調整は、このような透過率の変化が相殺されるように、この透過率の変化の逆の極性で行うこととなる。
【００５３】
また、レーザ光束内をこのレーザ光束の光束断面積よりも小さい未記録領域が通過する場合であっても、同様に、第１の記録層１０２ａのレーザ光束に対する透過率は、記録済領域から未記録領域に突入する場合の変化と、未記録領域から記録済領域に突入する場合の変化とを合成した変化となる。したがって、半導体レーザの発光出力の調整は、このような透過率の変化が相殺されるように、この透過率の変化の逆の極性で行うこととなる。
【００５４】
図６は、第１の記録層の記録トラックと第２の記録層の記録トラックとが互いに偏芯している状態を示す平面図である。
【００５５】
前述の説明では、第１の記録層１０２ａと第２の記録層１０２ｂとで、それぞれの記録トラックには互いに偏芯がないものとして考えていた。しかし、第１の記録層１０２ａが形成された基板と第２の記録層１０２ｂが形成された基板とを貼り合わせて構成する２層光ディスクにおいては、図６に示すように、各記録層１０２ａ，１０２ｂの記録トラック１０３ａ，１０３ｂが互いに偏芯していることが考えられる。
【００５６】
このような偏芯がある場合には、各記録層１０２ａ，１０２ｂの記録トラック１０３ａ，１０３ｂ間の偏芯波形を、予め、トラッキング駆動波形に基づいて求めておき、この偏芯波形を、メモリ７に記憶させておく。そして、この偏芯波形に基づいて、レーザ光束が第１の記録層１０２ａを透過するときの光束断面内における第１の記録層１０２ａの記録済領域及び未記録領域の分布状態について、第２の記録層１０２ｂの記録トラック１０３ｂに対する第１の記録層１０２ａの記録トラック１０３ａの偏芯の量及び方向を加算して、分布状態を決定するようにすれば、半導体レーザの発光出力の調整を適切に行うことができる。
【００５７】
図７は、偏芯検出補正回路の構成を示すブロック図である。
【００５８】
第１の記録層１０２ａの記録トラックと第２の記録層１０２ｂの記録トラックとが互いに偏芯している場合において半導体レーザの発光出力の調整を行うには、図７に示すように、まず、光学ピックアップ装置１のトラッキング駆動アクチュエータを制御するトラッキングサーボ回路８から、アクチュエータ駆動電流を、Ｌ０偏芯メモリ９及びＬ１偏芯メモリ１０に送る。Ｌ０偏芯メモリ９には、第１の記録層１０２ａの記録トラック１０３ａの偏芯波形が記憶されることとなる。また、Ｌ１偏芯メモリ１０には、第２の記録層１０２ｂの記録トラック１０３ｂの偏芯波形が記憶されることとなる。
【００５９】
そして、これら各偏芯メモリ９，１０から、各記録層１０２ａ，１０２ｂの記録トラック１０３ａ，１０３ｂの偏芯波形を偏芯差演算部１１に送る。偏芯差演算部１１は、各記録トラック１０３ａ，１０３ｂの偏芯波形に基づいて、第２の記録層１０２ｂの記録トラック１０３ｂに対する第１の記録層１０２ａの記録トラック１０３ａの偏芯の量及び方向を演算する。この演算結果は、光量設定部６に送られる。
【００６０】
光量設定部６は、第１の記録層１０２ａにおける記録済領域及び未記録領域の分布状態を示す情報に、偏芯差演算部１１より送られた第２の記録層１０２ｂの記録トラック１０３ｂに対する第１の記録層１０２ａの記録トラック１０３ａの偏芯の量及び方向を示す情報を加算して、未記録領域の位置を決定し、この未記録領域の位置に基づいて、前述したようなレーザ光束に対する透過率の変化に応じて、半導体レーザの発光出力の調整を行う。
【００６１】
ここで、第２の記録層１０２ｂに対する記録を行うときに、第１の記録層１０２ａにおける未記録領域の位置が分かっていない場合について説明する。
【００６２】
第１の記録層１０２ａにおける未記録領域の位置が分かっていない場合には、第２の記録層１０２ｂに対する記録開始位置にアクセスし、このアクセス時間内の再生信号レベルから、第１の記録層１０２ａが記録済領域であるか未記録領域であるかを検出することができる。
【００６３】
すなわち、アクセス時には、シーク動作やジャンプ制御を行なって、所定の開始アドレスにアクセスする。このとき、トラッキング信号やＲＦ信号のレベルは、第１の記録層１０２ａが記録済領域であるか未記録領域であるかによって影響を受けて変化する。これらトラッキング信号やＲＦ信号のレベルの変化は、第１の記録層１０２ａにおけるレーザ光束内における未記録領域の分布状態によって変わる。そして、これらトラッキング信号やＲＦ信号のレベルの変化量の中間値となる箇所が、第１の記録層１０２ａにおける記録済領域と未記録領域との境界として検出される。
【００６４】
このようにして記録済領域と未記録領域との境界を検出すれば、未記録領域の位置がアドレスによって管理されていない場合であっても、記録済領域及び未記録領域の分布状態を求めて、半導体レーザの発光出力の調整を適切に行うことができる。
【図面の簡単な説明】
【００６５】
【図１】本発明に係る２層光ディスク記録装置の構成を示すブロック図である。
【図２】前記２層光ディスク記録装置において、用いる２層光ディスクの構成を示す断面図である。
【図３】前記２層光ディスク記録装置において、第１の記録層を透過するときのレーザ光束の状態を示す平面図及び断面図である。
【図４】前記２層光ディスク記録装置において、レーザ光束の断面内の光強度分布がガウス分布である場合において、レーザ光束内を第１の記録層の記録済領域と未記録領域との境界が通過するときの透過率の変化を示すグラフである。
【図５】前記２層光ディスク記録装置において、レーザ光束の断面内の光強度分布がガウス分布であって、レーザ光束内をこのレーザ光束の光束断面積よりも小さい未記録領域が通過するときの透過率の変化を示すグラフである。
【図６】前記２層光ディスク記録装置において、第１の記録層の記録トラックと第２の記録層の記録トラックとが互いに偏芯している状態を示す平面図である。
【図７】前記２層光ディスク記録装置における偏芯検出補正回路の構成を示すブロック図である。
【符号の説明】
【００６６】
１        光学ピックアップ装置
２        対物レンズ
３        ＬＤ駆動回路
４        信号処理回路
５        アドレス検出部
６        光量設定部
７        メモリ
８        トラッキングサーボ回路
９        Ｌ０偏芯メモリ
１０      Ｌ１偏芯メモリ
１１      偏芯差演算部
１０１    ２層光ディスク
１０２ａ  第１の記録層
１０２ｂ  第２の記録層
１０３ａ  第１の記録層の記録トラック
１０３ｂ  第２の記録層の記録トラック
【図１】
2006268964.tif 000003
【図２】
2006268964.tif 000004
【図３】
2006268964.tif 000005
【図４】
2006268964.tif 000006
【図５】
2006268964.tif 000007
【図６】
2006268964.tif 000008
【図７】
2006268964.tif 000009